(57)【特許請求の範囲】
【請求項１】
後端面に回動片の突出した錠本体を、底面に前記回動片の係合する入力部材が配置された錠箱の内ネジ付取付凹部に螺着するシリンダ錠の取付構造であって、
前記錠本体を後端から相対回転不能かつ軸線方向に移動不能に内設するシリンダ筒と、
該シリンダ筒の後端から相対回転不能に外挿され前端からの抜けが規制される化粧リングと、
前記シリンダ筒の後端から外挿され前記内ネジに螺合する外ネジを外周に有するとともに後端切欠部を有するネジ筒と、
前記シリンダ筒の後端側に穿設され軸線方向に長い長穴と、
前記ネジ筒の内周面に半径方向内側に突設されて前記長穴に遊嵌され、該ネジ筒を前記シリンダ筒に対して相対回転不能かつ軸線方向に所定距離可動させるピンと、
錠箱に設けられ前記シリンダ筒の軸線に直交方向で移動される回転規制杆と、
前記シリンダ筒の外周に形成され前記ネジ筒の後端切欠部を貫通した該回転規制杆の先端が挿入され前記シリンダ筒の軸線方向の移動を規制する抜け止め部と、
を具備したことを特徴とするシリンダ錠の取付構造。
【請求項２】
前記シリンダ筒の後端開口に設けられ、該開口の縁部分より半径方向外側に延出し前記ネジ筒の後端切欠部に嵌合する突出部を有する抜止リングを具備することを特徴とする請求項１記載のシリンダ錠の取付構造。
【請求項３】
前記シリンダ筒の前端側半部に後端側半部よりも大径な大径部が形成されるとともに、該大径部の外面に軸線方向で形成された係合溝と、
前記化粧リングの内面から半径方向内側に突出した係合片と、
前記大径部の後端側に設けられる前記係合溝の端部を塞ぐ抜止手段と、
を備え、
前記係合片が前記係合溝に進入して前記化粧リングと前記シリンダ筒の相対回転が規制され、前記化粧リングの回転を前記シリンダ筒に伝えることを特徴とする請求項１又は２記載のシリンダ錠の取付構造。
【発明の詳細な説明】
【技術分野】
【０００１】
本発明は、後端面に回動片の突出した錠本体を、錠箱の内ネジ付取付凹部に螺着するシリンダ錠の取付構造に関し、特に、錠本体を覆うシリンダ筒に、ネジ筒を軸線方向へ所定距離可動自在に設けることでねじ込み式錠箱への回動片付シリンダ錠の取付けを可能とする改良技術に関する。
【背景技術】
【０００２】
扉室外面に表出するシリンダ錠と、扉内に内蔵される錠箱からなる施錠装置は、錠箱が取り付けられた後、シリンダ錠が取り付けられる。このようなシリンダ錠の取付構造には、錠箱に設けられた内ネジ付の取付凹部に、シリンダ錠後端部の外周に形成した外ネジを螺着することで、シリンダ錠を錠箱に取り付けるものがある。一般的に、シリンダ錠の後端面には回動片、所謂、テールピースが突出され、回動片はシリンダ錠に挿入された合鍵の回転に伴って回転される。シリンダ錠は、錠箱に取り付けられた状態で、この回動片が錠箱取付凹部の底面に配置される入力部材、所謂、ダルマに係合する。これにより、合鍵の施解錠操作回転が回動片を介して入力部材に伝わり、錠箱内の施解錠機構を作動させる。
【０００３】
ところで、上記したねじ込み式のシリンダ錠では、回動片が後端面から突出されていない。その代わりに鍵穴に挿入された合鍵の先端が後端面から突出され、錠箱取付凹部の入力部材に係合するようになっている。したがって、ねじ込み式シリンダ錠を、錠箱取付凹部の内ネジに螺合する過程では、後端面に回動片が突出していないため、ねじ込み途中で回動片が入力部材に干渉することがなく、最終ねじ込み位置までシリンダ錠をねじ込んで螺着することが可能となった。
【発明の開示】
【発明が解決しようとする課題】
【０００４】
しかしながら、シリンダ錠ねじ込み式の施錠装置において、より防犯性の高いシリンダ錠である、回動片を有するシリンダ錠へ交換したい場合、単にシリンダ錠の後部外周に外ネジを設けるのみでは、シリンダ錠を錠箱取付凹部の内ネジにねじ込む途中で、回動片が入力部材に干渉してしまい、最終ねじ込み位置までシリンダ錠をねじ込めず取付が不可能となった。これに対し、錠箱まで交換すれば、交換作業労力が増大するとともに、部品コストも増大した。このため、内ネジ付の錠箱取付凹部に対し、回動片を有するシリンダ錠を取付可能にするシリンダ錠取付構造の開発要請があった。
【０００５】
本発明は上記状況に鑑みてなされたもので、回動片を有するシリンダ錠を内ネジ付の錠箱取付凹部に取り付けできるシリンダ錠の取付構造を提供し、もって、回動片付シリンダ錠の汎用性向上を図ることを目的とする。
【課題を解決するための手段】
【０００６】
次に、上記の課題を解決するための手段を、実施の形態に対応する図面を参照して説明する。
本発明の請求項１記載のシリンダ錠の取付構造は、後端面１１に回動片１３の突出した錠本体１５を、底面１７に前記回動片１３の係合する入力部材１９が配置された錠箱２１の内ネジ付取付凹部２５に螺着するシリンダ錠の取付構造であって、
前記錠本体１５を後端から相対回転不能かつ軸線方向に移動不能に内設するシリンダ筒２７と、
該シリンダ筒２７の後端から相対回転不能に外挿され前端からの抜けが規制される化粧リング２９と、
前記シリンダ筒２７の後端から外挿され前記内ネジ２３に螺合する外ネジ７７を外周に有するとともに後端切欠部８１を有するネジ筒３１と、
前記シリンダ筒２７の後端側に穿設され軸線方向に長い長穴７９と、
前記ネジ筒３１の半径方向内側に突設されて前記長穴７９に遊嵌され、前記ネジ筒３１を前記シリンダ筒２７に対して相対回転不能かつ軸線方向に所定距離可動させるピン３３と、
錠箱２１に設けられ前記シリンダ筒２７の軸線に直交方向で移動される回転規制杆３９と、
前記シリンダ筒２７の外周に形成され前記ネジ筒３１の後端切欠部８１を貫通した該回転規制杆３９の先端が挿入され前記シリンダ筒２７の軸線方向の移動を規制する抜け止め部４１と、
を具備したことを特徴とする。
【０００７】
このシリンダ錠の取付構造では、化粧リング２９が回転されると、シリンダ筒２７及びネジ筒３１が回転され、ネジ筒３１の外ネジ７７が取付凹部２５の内ネジ２３にねじ込まれる。錠本体２１の回動片１３が入力部材１９と干渉する位置に達したなら、一旦長穴７９分シリンダ筒２７と共に錠本体１５をネジ筒３１から引き出し、回動片１３と入力部材１９の干渉を回避する。さらにネジ筒３１がねじ込まれ、回動片１３が入力部材１９に近接したなら、回動片１３が入力部材１９と係合可能となる姿勢にシリンダ筒２７を回転調整した後、シリンダ筒２７と共に錠本体１５を押し込み、回動片１３を入力部材１９に係合する。そして、回転規制杆３９を操作し、その先端を抜け止め部４１に当接させてシリンダ筒２７の軸線方向の移動を規制する。
【０００８】
請求項２記載のシリンダ錠の取付構造は、前記シリンダ筒２７の後端開口に設けられ、該開口の縁部分より半径方向外側に延出し前記ネジ筒３１の後端切欠部８１に嵌合する突出部８７ａを有する抜止リング８７を具備することを特徴とする。
【０００９】
このシリンダ錠の取付構造では、シリンダ筒２７の後端開口に設けられる抜止リング８７によって、突設された突出部８７ａがネジ筒３１の後端切欠部８１に嵌合され、抜止リング８７がネジ筒３１とシリンダ筒２７の相対回転規制部材として作用する。
【００１０】
請求項３記載のシリンダ錠の取付構造は、前記シリンダ筒２７の前端側半部に後端側半部よりも大径な大径部２８が形成されるとともに、該大径部２８の外面に軸線方向で形成された係合溝７１と、
前記化粧リング２９の内面から半径方向内側に突出した係合片６９と、
前記大径部２８の後端側に設けられる前記係合溝７１の端部を塞ぐ抜止手段３０と、
を備え、
前記係合片６９が前記係合溝７１に進入して前記化粧リング２９と前記シリンダ筒２７の相対回転が規制され、前記化粧リング２９の回転を前記シリンダ筒２７に伝えることを特徴とする。
【００１１】
このシリンダ錠の取付構造では、化粧リング２９が回転されると、シリンダ筒２７が化粧リング２９と同期して回転され、ピン３３にてシリンダ筒２７との相対回転が規制されたネジ筒３１が取付凹部２５に螺合される。この螺着過程で、係合片６９とシリンダ筒２７を軸線方向に相対スライド可能に係合維持させたままねじ込みが可能となり、かつ係合片６９の係合溝７１からの脱落も回避される。
【発明の効果】
【００１２】
本発明に係る請求項１記載のシリンダ錠の取付構造によれば、錠本体に相対回転不能かつ軸線方向に移動不能にシリンダ筒を内設し、外ネジを有するネジ筒をシリンダ筒に外挿し、シリンダ筒に軸線方向に長い長穴を設け、ネジ筒に突設したピンによりネジ筒をシリンダ筒に対して相対回転不能かつ軸線方向に所定距離可動自在とし、回転規制杆が挿入されることでシリンダ筒の軸線方向の移動を規制する抜け止め部をシリンダ筒に形成したので、化粧リングを介してシリンダ筒及びネジ筒を回転して取付凹部にねじ込み、回動片が入力部材と干渉する位置に達したなら、一旦長穴分シリンダ筒と共に錠本体を引き出して干渉を回避し、ねじ込み完了後、シリンダ筒と共に錠本体を押し込むことで回動片を入力部材へ係合させることができる。この結果、回動片の突出したシリンダ錠を内ネジ付の錠箱取付凹部に取り付けでき、回動片付シリンダ錠の汎用性を向上させることができる。
【００１３】
請求項２記載のシリンダ錠の取付構造によれば、シリンダ筒の後端開口に設けられる抜止リングによって、突設された突出部がネジ筒の後端切欠部に嵌合され、抜止リングがネジ筒とシリンダ筒の相対回転規制部材として機能させることができ、ピンと共働させて回転規制強度を高めることができる。
【００１４】
請求項３記載のシリンダ錠の取付構造によれば、シリンダ筒の前端側半部に大径部が形成されるとともに、大径部の外面に軸線方向で係合溝を形成し、化粧リングの内面から半径方向内側に突出した係合片と、大径部に設けられる係合溝の端部を塞ぐ抜止手段とを備え、係合片が係合溝に進入して化粧リングとシリンダ筒の相対回転を規制し、化粧リングの回転をシリンダ筒に伝えることとしたので、化粧リングを回転すれば、シリンダ筒が化粧リングと同期して回転し、ピンにてシリンダ筒との相対回転が規制されたネジ筒を取付凹部に螺着できる。この螺着過程で、係合片とシリンダ筒を軸線方向に係合溝に沿って相対スライド可能に係合維持させたままねじ込みを可能にし、かつ係合片とネジ筒の干渉も回避できる。つまり、相対変位を吸収し干渉を回避しつつ係合維持できる。また、抜止手段を備えたことで係合片の係合溝からの脱落も回避される。
【発明を実施するための最良の形態】
【００１５】
以下、本発明に係るシリンダ錠の取付構造の好適な実施の形態を図面を参照して詳細に説明する。
図１は本発明に係る取付構造を有したシリンダ錠を前面側から見た斜視図、図２は図１のシリンダ錠を後面側から見た斜視図、図３は錠箱内部の側面図である。なお、本実施の形態ではシリンダ錠の鍵穴側を前方、シリンダ錠の回動片側を後方として説明する。
本実施の形態に係るシリンダ錠の取付構造は、後端面１１に回動片であるテールピース１３の突出した錠本体１５を、底面１７にテールピース１３の係合する入力部材であるダルマ１９が配置された錠箱２１の、内ネジ２３付の取付凹部２５に螺着することを目的としている。
【００１６】
そのための主要構成として、本取付構造は、シリンダ筒２７と、化粧リング２９と、ネジ筒３１と、ピン３３と、回転規制杆３９と、抜け止め部４１とを備えている。
【００１７】
錠箱２１は、内蔵した施解錠機構によって、図３に示すデッドボルト４３を扉の小口から進退させる。進退機構は、錠本体１５のテールピース１３或いはサムターンからダルマ１９に入力される回動操作力によって、デッドボルト４３を進退動作させる。錠本体１５は、扉に彫り込んだ状態に内蔵され、扉小口を覆うフロント板４５を備える。フロント板４５は、デッドボルト４３を進退させるための穴４７を有している。デッドボルト４３は、この穴４７を通過することで、小口から突出し、錠箱内に後退する。
【００１８】
図４は図１に示したシリンダ錠の縦断面図、図５は図１に示したシリンダ錠の水平断面図である。
錠本体１５は、外装部材としての外筒４９を有する。外筒４９には内筒５１が回動自在に内設され、内筒５１はロッキングバー５３によって回転が規制・規制解除される。例えばディスクタイプのタンブラーを有する錠本体１５は、合鍵を抜きとった状態でロッキングバー５３がスプリングによって外筒４９の溝（図示せず）に押しつけられ、この状態で内筒５１を回転させようとしても、ロッキングバー５３の後退する切欠がタンブラーにないため、ロッキングバー５３は溝から抜け出ることができず、内筒５１を回転させることができない。
【００１９】
一方、合鍵が差し込まれると、タンブラーは合鍵のきざみによって押され、切欠がロッキングバー５３に一致して整列する。この状態で内筒５１を回転させると、溝とロッキングバー５３のテーパーによって、スプリングに抗してロッキングバー５３が切欠に入り溝から抜け出て、内筒５１を回転させる。外筒５１の外周には溝を内部に形成するための突起５５が外筒４９の軸線方向に沿って突設されている。
【００２０】
シリンダ筒２７は、前端側の略半部が、後端側の略半部よりも大径に形成されて大径部２８とされ、その先端には飾り筒６１が被せられて固定される。図中６３は、飾り筒下板を示す。化粧リング２９は、シリンダ筒２７の後端から挿入されてこの飾り筒６１の外周側に配置される。化粧リング２９は、後端折り曲げ部２９ａと、飾り筒６１の後端面との間に配設された付勢手段であるバネ６５の付勢力により後方に付勢されるとともに、飾り筒６１の前端からの抜けが規制される。飾り筒下板６３、飾り筒６１は、シリンダ筒２７の凹部６７に加締められ固定される。
【００２１】
図６は図１に示したシリンダ錠の分解斜視図、図７は図６に示したシリンダ筒の分解斜視図、図８はシリンダ筒から錠本体を分離した分解斜視図である。
化粧リング２９の内面には、後端折り曲げ部２９ａと一体に形成され、半径方向内側に突出する係合片６９が一対設けられ、係合片６９はシリンダ筒２７の外面に軸線方向で形成された係合溝７１に挿入される。この係合溝７１はシリンダ筒２７の大径部２８に位置し、シリンダ筒２７の後端側外周面から連続するような面とされて形成され、係合片６９は、化粧リング２９とシリンダ筒２７を一体回転させる。化粧リング２９が回転されると、シリンダ筒２７と化粧リング２９が同期して回転され、シリンダ筒２７が化粧リング２９と係合維持したままねじ込みに伴って後方へ徐々に相対スライドされる。つまり、化粧リング２９とシリンダ筒２７が、相対回転不能に規制されながら係合溝７１に沿い軸線方向に相対スライド自在となっている。これにより、化粧リング２９は、バネ６５により不図示の扉室外面に押付けられて密着取付が可能となっている。また、シリンダ筒２７には、大径部２８の後端側に抜止手段３０が設けられる。この抜止手段３０は、本実施の形態では、Ｃ字リング３０ａと周溝３０ｂとで構成される。周溝３０ｂは、大径部２８の係合溝７１の後端側の端部を横切るように形成され、大径部２８の周方向に連続して形成される。この周溝３０ｂに、Ｃ字リング３０ａが装着され、係合溝７１の端部を塞ぐようになる。これによって、係合溝７１内の係合片６９が、後端方向への移動を阻止される。
【００２２】
シリンダ筒２７は、錠本体１５を後端から相対回転不能かつ軸線方向に移動不能に内設する。錠本体１５は、突起５５，５５を、シリンダ筒２７の内周面に形成された軸線方向の一対の溝７３，７３に挿入して回転規制される。また、錠本体１５は、シリンダ筒２７の後部内周に嵌入されるＣリング７５によって軸線方向の移動が規制される。
【００２３】
ネジ筒３１は、シリンダ筒２７の後端から外挿される。ネジ筒３１は、内ネジ２３に螺合する外ネジ７７を外周に有するとともに、軸線方向に一対の後端切欠部８１，８１を有する。また、ネジ筒３１の前端には一対の固定穴８５，８５が穿設され、固定穴８５，８５はピン３３，３３を固定する。このピン３３は、ネジ筒３１の内周面に半径方向内側に突設される。ピン３３は、固定穴８５に圧入固定されても、ネジ固定されてもよい。
【００２４】
シリンダ筒２７には一対の長い長穴７９，７９が後端側に穿設される。つまり、上記ピン３３は、半径方向内側に突設され、突出したピン３３は、シリンダ筒２７の長穴７９に遊嵌され、ネジ筒３１をシリンダ筒２７に対して相対回転不能かつ軸線方向に所定距離可動させる。
【００２５】
したがって、化粧リング２９が回転されると、シリンダ筒２７が化粧リング２９と同期して回転され、ピン３３にてシリンダ筒２７との相対回転が規制されたネジ筒３１が取付凹部２５に螺合される。この螺着過程で、係合片６９とシリンダ筒２７を係合溝７１に沿って軸線方向に相対スライド可能に係合維持させたままねじ込みが可能となる。
【００２６】
図４に示すように、シリンダ筒２７の外周には抜け止め部４１が形成され、抜け止め部４１はネジ筒３１の後端切欠部８１を貫通した回転規制杆３９の先端が挿入される。これにより、シリンダ筒２７は、軸線方向の移動が規制される。つまり、抜け止めされる。本実施の形態において、抜け止め部４１は、回転規制杆３９の先端が当接する平坦部４１ａと、溝部４１ｂとからなる。
【００２７】
抜け止め部４１の溝部４１ｂには抜止リング８７の突出部が嵌入される。抜止リング８７は、シリンダ筒２７の後端開口に設けられる。本実施の形態において、抜止リング８７は、シリンダ筒２７の後端開口に圧入により固定され、半径方向外側に延設された一対の突出部８７ａが、開口縁から溝部４１ｂに配置される。そして、抜止リング８７の突出部８７ａがネジ筒３１の後端切欠部８１に嵌合され、抜止リング８７がネジ筒３１とシリンダ筒２７の相対回転規制部材としても作用する。これにより、ピン３３と共働させて回転規制強度を高めることができる。
【００２８】
次に、上記の構成を有する取付構造の作用を説明する。
図９は錠箱取付工程の取付手順説明図、図１０はシリンダ錠ねじ込み工程の取付手順説明図、図１１はねじ込み途中のシリンダ錠を後面側から見た斜視図、図１２はねじ込み開始時のシリンダ錠の側面図、図１３は回動片が入力部材に係合したシリンダ錠の側面図、図１４は回転規制杆による回転規制工程の取付手順説明図である。
図９に示すように、扉９５に形成された錠箱収容空間９７に、錠箱２１を小口開口９９から挿入し、取付板４４をビス１０１，１０１にて小口１０３に固定する。扉９５の室外面９５ａには錠箱２１の取付凹部２５と一致する取付穴１０５を穿設しておく。
【００２９】
化粧リング２９を回転することで、シリンダ筒２７及びネジ筒３１を一体回転する。ネジ筒３１の外ネジ７７が取付凹部２５の内ネジ２３に掛ると化粧リング２９を回すことで、ネジ筒３１は錠箱２１にねじ込まれる。錠本体１５のテールピース１３がダルマ１９と干渉する位置に達したなら、図１１，図１２に示すように、一旦長穴７９分シリンダ筒２７と共に錠本体１５をネジ筒３１から引き出し、テールピース１３とダルマ１９の干渉を回避する。
【００３０】
さらにネジ筒３１がねじ込まれ、テールピース１３がダルマ１９に近接したなら、テールピース１３がダルマ１９と係合可能となる姿勢にシリンダ筒２７を回転調整する。回転調整は、錠本体１５の鍵穴１０７に例えば合鍵（図示せず）を挿入し、合鍵を水平保持することで行う。その後、図１３に示すように、シリンダ筒２７と共に錠本体１５を押し込み、テールピース１３をダルマ１９に係合する。
【００３１】
次いで、回転規制杆３９のビス頭部３９ａをドライバ１１３で回す。これにより、回転規制杆３９（図３参照）をネジ筒３１の後端切欠部８１に挿入するとともにシリンダ筒２７の平坦部４１ａに当接し、シリンダ筒２７を抜け止めする。つまり、シリンダ筒３３は回転規制杆３９と抜止リング８７にて抜け止めされる。なお、テールピース１３の向きと平坦部４１ａとの向きを対応させた状態とされていることで、ダルマ１９とテールピース１３との係合と平坦部４１ａへの当接が行われる。そして、最後に、取付板４４に、フロント板４５を取付け、ビス頭部３９ａを覆ってシリンダ錠の取付けを完了する。
【００３２】
上記したシリンダ錠の取付構造によれば、錠本体１５に相対回転不能かつ軸線方向に移動不能にシリンダ筒２７を内設し、外ネジ７７を有するとともに内方向に突出するピン３３を備えたネジ筒３１をシリンダ筒２７に外挿し、軸線方向に長い長穴７９を有するシリンダ筒２７にピン３３によりネジ筒３１をシリンダ筒２７に対して相対回転不能かつ軸線方向に所定距離可動自在とし、回転規制杆３９が挿入されることでシリンダ筒２７の軸線方向の移動を規制する抜け止め部４１をシリンダ筒２７に形成したので、化粧リング２９を介してシリンダ筒２７及びネジ筒３１を回転して取付凹部２５にねじ込み、テールピース１３がダルマ１９と干渉する位置に達したなら、一旦長穴７９分シリンダ筒２７と共に錠本体１５を引き出して干渉を回避し、ねじ込み完了後、シリンダ筒２７と共に錠本体１５を押し込むことでテールピース１３をダルマ１９へ係合させることができる。この結果、テールピース１３の突出したシリンダ錠を内ネジ２３付の錠箱取付凹部２５に取り付けでき、回動片付シリンダ錠の汎用性を向上させることができる。
【図面の簡単な説明】
【００３３】
【図１】本発明に係る取付構造を有したシリンダ錠を前面側から見た斜視図である。
【図２】図１のシリンダ錠を後面側から見た斜視図である。
【図３】錠箱内部の側面図である。
【図４】図１に示したシリンダ錠の縦断面図である。
【図５】図１に示したシリンダ錠の水平断面図である。
【図６】図１に示したシリンダ錠の分解斜視図である。
【図７】図６に示したシリンダ筒の分解斜視図である。
【図８】シリンダ筒から錠本体を分離した分解斜視図である。
【図９】錠箱取付工程の取付手順説明図である。
【図１０】シリンダ錠ねじ込み工程の取付手順説明図である。
【図１１】ねじ込み途中のシリンダ錠を後面側から見た斜視図である。
【図１２】ねじ込み開始時のシリンダ錠の側面図である。
【図１３】回動片が入力部材に係合したシリンダ錠の側面図である。
【図１４】回転規制杆による回転規制工程の取付手順説明図である。
【符号の説明】
【００３４】
１１…後端面
１３…回動片（テールピース）
１５…錠本体
１７…底面
１９…入力部材（ダルマ）
２１…錠箱
２３…内ネジ
２５…取付凹部
２７…シリンダ筒
２８…大径部
２９…化粧リング
３０…抜止手段
３１…ネジ筒
３３…ピン
３９…回転規制杆
４１…抜け止め部
４１ｄ…後端側内壁面
６９…係合片
７１…係合溝
７７…外ネジ
７９…長穴
８１…後端切欠部
８７…抜止リング
８７ａ…突出部
【図１】
0005107695.tif 000002
【図２】
0005107695.tif 000003
【図３】
0005107695.tif 000004
【図４】
0005107695.tif 000005
【図５】
0005107695.tif 000006
【図６】
0005107695.tif 000007
【図７】
0005107695.tif 000008
【図８】
0005107695.tif 000009
【図９】
0005107695.tif 000010
【図１０】
0005107695.tif 000011
【図１１】
0005107695.tif 000012
【図１２】
0005107695.tif 000013
【図１３】
0005107695.tif 000014
【図１４】
0005107695.tif 000015